(57)【要約】【課題】子供や老人などにタッセルが絡みついて、タッセルに所定値以上の荷重が作用したときに、ベース部材からタッセル保持部材をタッセルとともに確実に離脱させる。【解決手段】壁１２又は窓枠に取付けられる房掛け１０は、カーテンを束ねるタッセル１１を保持可能に構成される。この房掛け１０は、壁１２又は窓枠にビス１３又は接着剤により取付けられるベース部材１４と、タッセル１１を保持可能なタッセル保持部材１６と、タッセル保持部材１６をベース部材１４に離脱可能に係合させる係合部材２０とを備える。【選択図】図１
2015208423.tif 000002
【特許請求の範囲】
【請求項１】
カーテンを束ねるタッセルを保持可能に構成され壁又は窓枠に取付けられる房掛けにおいて、
前記壁又は前記窓枠にビス又は接着剤により取付けられるベース部材と、
前記タッセルを保持可能なタッセル保持部材と、
前記タッセル保持部材を前記ベース部材に離脱可能に係合させる係合部材と
を備えたことを特徴とする房掛け。
【請求項２】
前記係合部材が、前記ベース部材に対して前記タッセル保持部材をその長手方向に移動させようとするとき抵抗を付与しかつその幅方向に移動させようとするときその移動を許容する第１係合部と、前記ベース部材に対して前記タッセル保持部材をその厚さ方向に移動させようとするとき抵抗を付与しかつその長手方向に移動させようとするときその移動を許容する第２係合部とを有する請求項１記載の房掛け。
【請求項３】
前記第１係合部が、前記ベース部材の頂面又は前記タッセル保持部材の内面にその幅方向に延びて設けられた第１凹溝と、前記タッセル保持部材の内面又は前記ベース部材の頂面に設けられ前記第１凹溝と係脱可能に構成された第１突起とからなり、
前記第２係合部が、前記タッセル保持部材の両側内面又は前記ベース保持部材の両側外面にその長手方向に延びてそれぞれ設けられた第２凹溝と、前記ベース部材の両側外面又は前記タッセル保持部材の両側内面にそれぞれ設けられ前記第２凹溝と係脱可能に構成された第２突起とからなる請求項２記載の房掛け。
【発明の詳細な説明】
【技術分野】
【０００１】
本発明は、カーテンを束ねるタッセルを保持するために壁等に取付けられた房掛けに関するものである。
【背景技術】
【０００２】
従来、壁、窓枠等の固定側に取付けられた取付部と、カーテンを束ねる結束部材（タッセル）の両端に設けられた環部（リング紐）をそれぞれ両端から引抜き可能に挿入して掛止する掛止部とを備えた、カーテン用結束部材の掛止具（房掛け）が開示されている（例えば、特許文献１参照。）。この掛止具では、掛止部の一端が取付部に接離するように掛止部が取付部に回動自在に枢着され、取付部と掛止部との間に掛止部の一端が取付部に当接又は近接するように付勢する弾性部材が設けられる。
【０００３】
このように構成された掛止具では、結束部材の一方の環部を掛止部に掛止するとき、掛止部を押圧し又は引張って枢着部を中心に回転させ、掛止部の下端から環部を掛止部に挿入し、この状態で掛止部の押圧又は引張りを解除する。これにより弾性部材の付勢により掛止部の下端が取付部に係合するので、環部の不測の抜脱のおそれがなく、掛止部の下部に確実に掛止される。なお、他方の環部は掛止部の上部にその上端から離脱可能に掛止される。
【先行技術文献】
【特許文献】
【０００４】
【特許文献１】実願昭５６−１４６１４２号（実開昭５８−４９９９３号公報）の明細書及び図面（請求項１、第４頁第６行〜同頁第１６行、第１図〜第３図）
【発明の概要】
【発明が解決しようとする課題】
【０００５】
しかし、上記従来の特許文献１に示されたカーテン用結束部材の掛止具（房掛け）では、結束部材（タッセル）の一方の環部（リング紐）が掛止部の下部に掛止しかつ結束部材の他方の環部が掛止部の上部に掛止した状態で、子供や老人などに結束部材が絡みついて、結束具を掛止具から引き離す方向に荷重が作用したときに、この荷重の作用の仕方によっては、掛止部が枢着部を中心に回転して掛止部の下端が取付部から離れ、結束部材の一方の環部が掛止部の下部から離脱することにより、結束部材の絡みつきが解放される場合があるけれども、結束部材の絡みつきが解放されないおそれもある。
【０００６】
本発明の目的は、子供や老人などにタッセルが絡みついて、タッセルに所定値以上の荷重が作用したときに、ベース部材からタッセル保持部材をタッセルとともに確実に離脱させることができる、房掛けを提供することにある。
【課題を解決するための手段】
【０００７】
本発明の第１の観点は、図１〜図３に示すように、カーテンを束ねるタッセル１１を保持可能に構成され壁１２又は窓枠に取付けられる房掛け１０において、壁１２又は窓枠にビス１３又は接着剤により取付けられるベース部材１４と、タッセル１１を保持可能なタッセル保持部材１６と、タッセル保持部材１６をベース部材１４に離脱可能に係合させる係合部材２０とを備えたことを特徴とする。
【０００８】
本発明の第２の観点は、第１の観点に基づく発明であって、更に図１〜図６に示すように、係合部材２０が、ベース部材１４に対してタッセル保持部材１６をその長手方向に移動させようとするとき抵抗を付与しかつその幅方向に移動させようとするときその移動を許容する第１係合部２１と、ベース部材１４に対してタッセル保持部材１６をその厚さ方向に移動させようとするとき抵抗を付与しかつその長手方向に移動させようとするときその移動を許容する第２係合部２２とを有することを特徴とする。
【０００９】
本発明の第３の観点は、第２の観点に基づく発明であって、更に図１〜図６に示すように、第１係合部２１が、ベース部材１４の頂面又はタッセル保持部材の内面にその幅方向に延びて設けられた第１凹溝２１ａと、タッセル保持部材１６の内面又はベース部材の頂面に設けられ第１凹溝２１ａと係脱可能に構成された第１突起２１ｂとからなり、第２係合部２２が、タッセル保持部材１６の両側内面又はベース保持部材の両側外面にその長手方向に延びてそれぞれ設けられた第２凹溝２２ａと、ベース部材１４の両側外面又はタッセル保持部材の両側内面にそれぞれ設けられ第２凹溝２２ａと係脱可能に構成された第２突起２２ｂとからなることを特徴とする。
【発明の効果】
【００１０】
本発明の第１の観点の房掛けでは、子供や老人などにタッセルが絡みついて、タッセル保持部材を、下方若しくは上方に、又はベース部材の取付け壁面等の垂線方向に、又は水平面内であってベース部材の取付け壁面等の垂線に対して左側若しくは右側に傾斜する方向に、又は鉛直面内であって斜め下方若しくは斜め上方に、或いは水平面内及び鉛直面内のいずれの面内にも属さない斜め下方若しくは斜め上方に移動させようとする所定値以上の引っ張り荷重がタッセルに作用すると、ベース部材又はタッセル保持部材のいずれか一方又は双方が弾性変形して、係合部材によるベース部材及びタッセル保持部材の係合が解除される。この結果、房掛けに保持されたタッセルにどの方向から引っ張り荷重が作用しても、タッセルがタッセル保持部材とともにベース部材から離脱するので、子供や老人などをタッセルの絡みつきから速やかに解放できる。また、ベース部材から離脱したタッセル保持部材を再びベース部材に係合部材を介して係合させれば、再び房掛けとして使用できる。
【００１１】
本発明の第２の観点の房掛けでは、子供や老人などにタッセルが絡みついて、タッセル保持部材を下方若しくは上方に移動させようとする所定値以上の引っ張り荷重がタッセルに作用すると、第１係合部の抵抗に抗してベース部材又はタッセル保持部材のいずれか一方又は双方が弾性変形することにより、ベース部材及びタッセル保持部材の係合が解除され、またタッセル保持部材をベース部材の取付け壁面等の垂線方向に移動させようとする所定値以上の引っ張り荷重がタッセルに作用すると、第２係合部の抵抗に抗してベース部材又はタッセル保持部材のいずれか一方又は双方が弾性変形することにより、ベース部材及びタッセル保持部材の係合が解除され、更にタッセル保持部材を水平面内であってベース部材の取付け壁面等の垂線に対して左側若しくは右側に傾斜する方向に、又は鉛直面内であって斜め下方若しくは斜め上方に、或いは水平面内及び鉛直面内のいずれの面内にも属さない斜め下方若しくは斜め上方に移動させようとする所定値以上の引っ張り荷重がタッセルに作用すると、第１及び第２係合部の抵抗に抗してベース部材又はタッセル保持部材のいずれか一方又は双方が弾性変形することにより、ベース部材及びタッセル保持部材の係合が解除される。この結果、房掛けに保持されたタッセルにどの方向から引っ張り荷重が作用しても、タッセルがタッセル保持部材とともにベース部材から離脱するので、子供や老人などをタッセルの絡みつきから速やかに解放できる。また、ベース部材から離脱したタッセル保持部材を再びベース部材に第１及び第２係合部を介して係合させれば、再び房掛けとして使用できる。
【００１２】
本発明の第３の観点の房掛けでは、子供や老人などにタッセルが絡みついて、タッセル保持部材を下方若しくは上方に移動させようとする所定値以上の引っ張り荷重がタッセルに作用すると、ベース部材又はタッセル保持部材のいずれか一方又は双方が弾性変形することにより、第１係合部の第１凹溝又は第１突起に係合していた第１突起又は第１凹溝が第１凹溝又は第１突起から離脱し、またタッセル保持部材をベース部材の取付け壁面等の垂線方向に移動させようとする所定値以上の引っ張り荷重がタッセルに作用すると、ベース部材又はタッセル保持部材のいずれか一方又は双方が弾性変形することにより、第２係合部の第２凹溝又は第２突起に係合していた第２突起又は第２凹溝が第２凹溝又は第２突起から離脱し、更にタッセル保持部材を水平面内であってベース部材の取付け壁面等の垂線に対して左側若しくは右側に傾斜する方向に、又は鉛直面内であって斜め下方若しくは斜め上方に、或いは水平面内及び鉛直面内のいずれの面内にも属さない斜め下方若しくは斜め上方に移動させようとする所定値以上の引っ張り荷重がタッセルに作用すると、ベース部材又はタッセル保持部材のいずれか一方又は双方が弾性変形することにより、第１係合部の第１凹溝又は第１突起に係合していた第１突起又は第１凹溝が第１凹溝又は第１突起から離脱し、第２係合部の第２凹溝又は第２突起に係合していた第２突起又は第２凹溝が第２凹溝又は第２突起から離脱する。この結果、房掛けに保持されたタッセルにどの方向から引っ張り荷重が作用しても、タッセルがタッセル保持部材とともにベース部材から離脱するので、子供や老人などをタッセルの絡みつきから速やかに解放できる。また、第１突起又は第１凹溝を第１凹溝又は第１突起に係合させ、第２突起又は第２凹溝を第２凹溝又は第２突起に係合させれば、ベース部材から離脱したタッセル保持部材を再びベース部材に取付けることができ、再び房掛けとして使用できる。
【図面の簡単な説明】
【００１３】
【図１】本発明実施形態の房掛けのタッセル保持部材を下方に移動させようとする所定値以上の荷重がタッセルに作用してタッセル保持部材がタッセルとともにベース部材から離脱する前後の状態を示し、（ａ）は図２（ａ）のＡ−Ａ線断面図であり、（ｂ）は図２（ｂ）のＢ−Ｂ線断面図である。
【図２】（ａ）は図１（ａ）のＣ−Ｃ線断面図であり、（ｂ）は図１（ｂ）のＤ−Ｄ線断面図である。
【図３】タッセル保持部材がタッセルとともに下方に移動してベース部材から離脱する前後の状態を示す斜視図である。
【図４】その房掛けのタッセル保持部材をベース部材の取付け壁面の垂線方向に移動させようとする所定値以上の荷重がタッセルに作用してタッセル保持部材がタッセルとともにベース部材から離脱する前後の状態を示す図１に対応する断面図である。
【図５】（ａ）は図４（ａ）のＥ−Ｅ線断面図であり、（ｂ）は図４（ｂ）のＦ−Ｆ線断面図である。
【図６】タッセル保持部材がタッセルとともにベース部材の取付け壁面の垂線方向に離脱する前後の状態を示す斜視図である。
【図７】その房掛けのタッセル保持部材を水平面内であってベース部材の取付け壁面の垂線に対して右側に傾斜する方向に移動させようとする所定値以上の荷重がタッセルに作用してタッセル保持部材がタッセルとともにベース部材から離脱する前後の状態を示す図５に対応する断面図である。
【図８】タッセル保持部材がタッセルとともに水平面内であってベース部材の取付け壁面の垂線に対して右側に傾斜する方向に離脱する前後の状態を示す斜視図である。
【発明を実施するための形態】
【００１４】
次に本発明を実施するための形態を図面に基づいて説明する。図１に示すように、房掛け１０は、カーテンを束ねるタッセル１１を保持するために、壁１２に取付けられる。上記タッセル１０は、カーテンに巻き付けられる房部１１ａと、この房部１１ａの両端に設けられた幅広の一対のリング紐１１ｂとを有する。また、房掛け１０は、壁１２に十字穴付き木ねじ等のビス１３により取付けられるベース部材１４と、タッセル１１を保持可能なタッセル保持部材１６と、タッセル保持部材１６をベース部材１４に離脱可能に係合させる係合部材２０とを備える。上記ベース部材１４は、ナイロン、ポリアセタール、ＡＢＳ等のプラスチックにより鉛直方向に延びる直方体状に形成される。またベース部材１４には、このベース部材１４に上記ビス１３を挿通するための２つの通孔１４ａ,１４ａが鉛直方向に所定の間隔をあけて形成される。更にベース部材１４の頂面には、深さが比較的浅く形成されかつ下端が開放された凹部１４ｂが形成される。
【００１５】
一方、上記タッセル保持部材１６は、ベース部材１４に嵌入される嵌入部１６ａと、ベース部材１４の頂面中央に水平方向に延びて設けられた比較的細い円筒状の円筒部１６ｂと、略鉛直方向に延びて設けられ中央下部が円筒部１６ｂの先端に接続された板状部１６ｃとを有する。嵌入部１６ａは、横断面略チャンネル状に形成され、鉛直方向に延びて設けられる。即ち、嵌入部１６ａは、ベース部材１４の頂面に対向する頂壁１６ｄと、この頂壁１６ｄの両側縁に一体的に設けられた一対の側壁１６ｅ,１６ｅとからなる。また円筒部１６ｂにはタッセル１１のリング紐１１ｂが遊嵌可能に構成され、板状部１６ｃは嵌入部１６ａ側に比較的大きな曲率半径で湾曲して形成される。更に上記嵌入部１６ａ、円筒部１６ｂ及び板状部１６ｃは、ポリカーボネート、ＡＢＳ等のプラスチックにより一体的に形成される。
【００１６】
一方、係合部材２０は第１係合部２１と第２係合部２２とを有する。第１係合部２１は、ベース部材１４に対してタッセル保持部材１６をその長手方向に移動させようとするとき抵抗を付与し、かつその幅方向に移動させようとするときその移動を許容するように構成される。具体的には、第１係合部２１は、ベース部材１４の頂面にその幅方向に延びて設けられた第１凹溝２１ａと、タッセル保持部材１６の嵌入部１６ａの頂壁１６ｄ内面に設けられた第１突起２１ｂとからなる。この第１突起２１ｂは、タッセル保持部材１６の板状部１６ｃから円筒部１６ｂ内を通って嵌入部１６ａ内に突出するように構成される。また第１突起２１ｂは第１凹溝２１ａと係脱可能に構成される。なお、上記抵抗は例えば２〜６ｋｇに設定される。ここで、上記抵抗を２〜６ｋｇの範囲内に限定したのは、２ｋｇ未満では通常のカーテンを束ねる動作で第１突起２１ｂが第１凹溝２１ａから離脱してしまい、６ｋｇを超えると子供や老人などにタッセル１１が絡みついても第１突起２１ｂが第１凹溝２１ａから離脱しないからである。
【００１７】
また、第２係合部２２は、ベース部材１４に対してタッセル保持部材１６をその厚さ方向に移動させようとするとき抵抗を付与し、かつその長手方向に移動させようとするときその移動を許容するように構成される。具体的には、第２係合部２２は、タッセル保持部材１６の両側壁１６ｅ,１６ｅ内面にその長手方向に延びてそれぞれ設けられた一対の第２凹溝２２ａ,２２ａと、ベース部材１４の両側外面にそれぞれ２つずつ設けられた４つの第２突起２２ｂとからなる。これらの第２突起２２ｂは第２凹溝２２ａと係脱可能に構成される。なお、上記抵抗は例えば２〜６ｋｇに設定される。ここで、上記抵抗を２〜６ｋｇの範囲内に限定したのは、２ｋｇ未満では通常のカーテンを束ねる動作で第２凹溝２２ａが第２突起２２ｂから離脱してしまい、６ｋｇを超えると子供や老人などにタッセル１１が絡みついても第２凹溝２２ａが第２突起２２ｂから離脱しないからである。
【００１８】
このように構成された房掛け１０の動作を説明する。
【００１９】
（１）  タッセル１１を下方に引っ張った場合（図１〜図３）
子供や老人などにタッセル１１が絡みついて、タッセル保持部材１６を下方に移動させようとする所定値以上の引っ張り荷重（例えば、２ｋｇ以上の引っ張り荷重）がタッセル１１に作用すると、ベース部材１４又はタッセル保持部材１６のいずれか一方又は双方が弾性変形して、係合部材２０によるベース部材１４及びタッセル保持部材１６の係合が解除される。具体的には、第１係合部２１の抵抗に抗してベース部材１４又はタッセル保持部材１６のいずれか一方又は双方が弾性変形することにより、ベース部材１４及びタッセル保持部材１６の係合が解除される、即ち第１係合部２１の第１凹溝２１ａに係合していた第１突起２１ｂが第１凹溝２１ａから離脱する。また、タッセル保持部材１６を上方に移動させようとする所定値以上の引っ張り荷重がタッセル１１に作用した場合も、上記と同様に、第１突起２１ｂが第１凹溝２１ａから離脱する。
【００２０】
（２）  タッセル１１をベース部材１４の取付け壁１２面の垂線方向に引っ張った場合（図４〜図６）
子供や老人などにタッセル１１が絡みついて、タッセル保持部材１６をベース部材１４の取付け壁１２面の垂線方向に移動させようとする所定値以上の引っ張り荷重（例えば、２ｋｇ以上の引っ張り荷重）がタッセル１１に作用すると、ベース部材１４又はタッセル保持部材１６のいずれか一方又は双方が弾性変形して、係合部材２０によるベース部材１４及びタッセル保持部材１６の係合が解除される。具体的には、第２係合部２２の抵抗に抗してベース部材１４又はタッセル保持部材１６のいずれか一方又は双方が弾性変形することにより、ベース部材１４及びタッセル保持部材１６の係合が解除される、即ち第２係合部２２の第２突起２２ｂに係合していた第２凹溝２２ａが第２突起２２ｂから離脱する。
【００２１】
（３）  タッセル１１を水平面内であってベース部材の１４の取付け壁１２面の垂線に対して右側に傾斜する方向に引っ張った場合（図７及び図８）
子供や老人などにタッセル１１が絡みついて、タッセル保持部材１６を水平面内であってベース部材１４の取付け壁１２面の垂線に対して右側に傾斜する方向に移動させようとする所定値以上の引っ張り荷重（例えば、２ｋｇ以上の引っ張り荷重）がタッセル１１に作用すると、ベース部材１４又はタッセル保持部材１６のいずれか一方又は双方が弾性変形して、係合部材２０によるベース部材１４及びタッセル保持部材１６の係合が解除される。具体的には、第１及び第２係合部２１，２２の抵抗に抗してベース部材１４又はタッセル保持部材１６のいずれか一方又は双方が弾性変形することにより、ベース部材１４及びタッセル保持部材１６の係合が解除される、即ち第１係合部２１の第１凹溝２１ａに係合していた第１突起２１ｂが第１凹溝２１ａから離脱し、第２係合部２２の第２突起２２ｂに係合していた第２凹溝２２ａが第２突起２２ｂから離脱する。また、タッセル保持部材１６を、水平面内であってベース部材１４の取付け壁１２面の垂線に対して左側に傾斜する方向に、又は鉛直面内であって斜め下方若しくは斜め上方に、或いは水平面内及び鉛直面内のいずれの面内にも属さない斜め下方若しくは斜め上方に、所定値以上の引っ張り荷重がタッセル１１に作用した場合も、上記と同様に、第１突起２１ｂが第１凹溝２１ａから離脱し、第２凹溝２２ａが第２突起２２ｂから離脱する。
【００２２】
この結果、房掛け１０に保持されたタッセル１１にどの方向から引っ張り荷重が作用しても、タッセル１１がタッセル保持部材１６とともにベース部材１４から離脱するので、子供や老人などをタッセル１１の絡みつきから速やかに解放できる。また、タッセル保持部材１６に形成された第１突起２１ｂをベース部材１４に形成された第１凹溝２１ａに係合させ、タッセル保持部材１６に形成された第２凹溝２２ａをベース部材１４に形成された第２突起２２ｂに係合させることにより、ベース部材１４から離脱したタッセル保持部材１６を再びベース部材１４に取付けることができ、再び房掛け１０として使用できる。更に、この実施の形態の房掛け１０は、従来の房掛けと形状が略同一であるため、種々のタッセル１１に対応できる。
【００２３】
なお、上記実施の形態では、房掛けのベース部材を壁にビスにより取付けたが、房掛けのベース部材を壁に接着剤により取付けたり、或いは房掛けのベース部材を窓枠にビス又は接着剤により取付けてもよい。また、上記実施の形態では、第１係合部の第１凹溝をベース部材の頂面に設け、第１突起をタッセル保持部材の内面に設け、第２係合部の第２凹溝をタッセル保持部材の両側内面にそれぞれ設け、第２突起をベース部材の両側外面にそれぞれ設けたが、第１係合部の第１凹溝をタッセル保持部材の内面に設け、第１突起をベース部材の頂面に設け、第２係合部の第２凹溝をベース保持部材の両側外面にそれぞれ設け、第２突起をタッセル保持部材の両側内面にそれぞれ設けてもよい。
【符号の説明】
【００２４】
１０  房掛け
１１  タッセル
１２  壁
１３  ビス
１４  ベース部材
１６  タッセル保持部材
２０  係合部材
２１  第１係合部
２１ａ  第１凹溝
２１ｂ  第１突起
２２  第２係合部
２２ａ  第２凹溝
２２ｂ  第２突起
【図１】
2015208423.tif 000003
【図２】
2015208423.tif 000004
【図３】
2015208423.tif 000005
【図４】
2015208423.tif 000006
【図５】
2015208423.tif 000007
【図６】
2015208423.tif 000008
【図７】
2015208423.tif 000009
【図８】
2015208423.tif 000010